(57)【要約】【課題】  把持が容易で、あご、ほほ、こめかみ部からうなじ部を含む頭皮部を効果的にマッサージすることができるフェイス用マッサージ具を提供する。【解決の手段】  硬質合成樹脂板または金属板からなる硬質素材製の芯材２を、合成樹脂またはゴムのエラストマーからなる軟質素材製の被覆体３で所定の厚みにモールドして身体当接主体４を構成し、この身体当接主体４の上縁部に突出部５を形成してあご部用のマッサージ部とし、また下縁部に膨出部６を形成し、その裏面に傾斜面７を設けてほほ部用のマッサージ部とし、さらに身体当接主体４の裏面部に複数の突起８，８・・・を形成してこめかみ部からうなじ部を含む頭皮部用のマッサージ部を形成してフェイス用マッサージ具１としたものである。【選択図】        図２
2005192905.tif 000002
【特許請求の範囲】
【請求項１】
硬質素材からなる板状の芯材の表面に、軟質素材を所定の厚みで被覆し一体化させて身体当接主体を構成し、
前記身体当接主体の周縁部および裏面部に、マッサージ部を形成したこと
を特徴とするフェイス用マッサージ具。
【請求項２】
硬質素材からなる板状の芯材の表面に、軟質素材を所定の厚みで被覆し一体化させて身体当接主体とし、
前記身体当接主体の周縁部には、あご部およびほほ部に当接させるマッサージ部を個別に、裏面部には、こめかみ部からうなじ部を含む頭皮に当接させるマッサージ部をそれぞれ形成したこと
を特徴とするフェイス用マッサージ具。
【請求項３】
前記芯材は、
縦方向の中心線を中心に、その両端部を背面方向に緩やかに湾曲させ、もって身体当接主体全体を平面視円弧状に形成したこと
を特徴とする請求項１または２に記載のフェイス用マッサージ具。
【請求項４】
前記芯材は、
左右の側面部を縦方向の中心線に向かって緩やかに湾曲させ、もって身体当接主体全体を正面視鼓状に形成したこと
を特徴とする請求項１〜３のいずれかに記載のフェイス用マッサージ具。
【請求項５】
前記身体当接主体は、
前記芯材の表面部は均一であるが、裏面部は上面側から下面側に向かって次第に肉厚となるよう軟質素材によって被覆されていること
を特徴とする請求項１〜４のいずれかに記載のフェイス用マッサージ具。
【請求項６】
前記身体当接主体は、
その下端部に、芯材が存在せず、かつ上部よりも幅広な膨出部が形成されていること
を特徴とする請求項１〜５のいずれかに記載のフェイス用マッサージ具。
【請求項７】
前記軟質素材は、
合成樹脂またはゴムのエラストマーからなる弾性素材であって、透明性を有し、無着色もしくは着色されたものであること
を特徴とする請求項１〜６のいずれかに記載のフェイス用マッサージ具。
【請求項８】
前記芯材は、
硬質合成樹脂板または金属板からなるものであって、着色されたものであること
を特徴とする請求項１〜７のいずれかに記載のフェイス用マッサージ具。
【請求項９】
前記芯材は、
所要の図柄や文字などが打ち抜き又は描出されていること
を特徴とする請求項１〜８のいずれかに記載のフェイス用マッサージ具。
【請求項１０】
前記身体当接主体は、
その上部周縁の一部に、円弧状の突出部からなるあご用マッサージ部が一体的に形成されていること
を特徴とする請求項１〜９のいずれかに記載のフェイス用マッサージ具。
【請求項１１】
前記身体当接主体は、
その下端部に、芯材が存在せずかつ上部よりも幅広な膨出部を形成し、当該膨出部の裏面側にほほ部に密着可能な形状の傾斜面を形成してほほ用マッサージ部としたこと
を特徴とする請求項１〜１０のいずれかに記載のフェイス用マッサージ具。
【請求項１２】
前記身体当接主体は、
裏面部に軟質素材からなる複数の突起を形成し、こめかみ部からうなじ部を含む頭皮用マッサージ部としたこと
を特徴とする請求項１〜１１のいずれかに記載のフェイス用マッサージ具。
【発明の詳細な説明】
【技術分野】
【０００１】
この発明は、あごやほほ骨、さらには目元などを優しく刺激して顔の弛みなどを解消するために使用されるフェイス用マッサージ具に関するものである。
【背景技術】
【０００２】
人の顔は歳とともに変化し、ある一定の年齢を超えると、あごに弛みが生じて所謂二重あごとなつたり、ほほなどの筋肉や頭皮に緩みが生じる。
【０００３】
特に、顔の表層にある表情筋は、頭蓋骨から起こって皮膚に付着し、皮膚を動かして表情をつくり、すべて顔面神経によって支配され、表情筋上の皮下組織に脂肪がたまると、その脂肪を支える表情筋が弱ければ脂肪は垂れ落ち、次第に締まりのない顔になるので、女性を中心として、顔に対する筋肉ストレッチの関心は高まってきている。
【０００４】
そこで、顎などのの表情筋に張力を与え、顎の輪郭を引き締めるマッサージ具として、たとえば、特許文献１（特開２０００−２４０６５号公報）においては、
細長い板状の把持部の先端部に設けた回転軸体の両端に、それぞれ弾性体からなる縁円柱体を装着し、
前記把持部を持ち、各円柱体の２つの内側側面部を顎の輪郭に押し当て、円柱体の間で顎の表情筋を挟持し、顎関節から顎の先端までの間の顎の輪郭に沿って、把持部の長手方向に平行に往復運動して把持部を動かし、円柱体に顎の皮膚を追従させ、円柱体が回転運動によって、顎の表情筋を挟持しながら伸ばすことができるマッサージ具が提案されている。
【０００５】
また、特許文献２（特開平１１−２３５３６７号公報）では、洗浄作業を簡単にするとともに、把持するためのハンドル部とマッサージを行うマッサージ部との間を確実にシールして、マッサージ時に使用される水や剤の侵入を防ぐことを目的として、
上部が把持部をなし下面側に凹部を有するハンドル部と、該ハンドル部の下面側に取付けられる中蓋部と、該中蓋部の下面側にこれと一体に成形される弾性体からなるマッサージ部とを有するマッサージ具において、
前記ハンドル部の凹部内周に形成されたつば部と、前記中蓋部の外周全体に突出形成され前記つば部を係止する係止部と、を備え、前記つば部を前記係止部とマッサージ部の弾性体外周上縁部とで挟持することにより前記ハンドル部とマッサージ部との間をシールしたこと
を特徴とするマッサージ具が提案されている。
【特許文献１】特開２０００−２４０６５号公報（特許請求の範囲、段落番号００１５参照）
【特許文献２】特開平１１−２３５３６７号公報（特許請求の範囲）
【発明の開示】
【発明が解決しようとする課題】
【０００６】
前記特許文献１に記載のマッサージ具は、把手部を把持しながら、先端部に設けた２つの円柱体の内側側面部を顎の輪郭に押し当て、顎関節から顎の先端までの間の顎の輪郭に沿って、把持部の長手方向に平行に往復運動させながら顎をマッサージするもので、構成がきわめて簡単であるものの、マッサージせんとする顔面部位に沿って把持部の長手方向に平行に往復運動させる必要があるので、きわめて使いづらく、把手部を介しているのでポイントを把握しづらく、また、マッサージにある程度の力を必要とするなど実用上解決すべき課題がある。
【０００７】
また、特許文献２に記載のマッサージ具は、基本的に、把持部を有するハンドル部と、このハンドル部の下面側に取付けられる中蓋部と、該中蓋部の下面側にこれと一体に成形される弾性体からなるマッサージ部とからなるもので、フェイスのマッサージには不向きなものである。
【０００８】
この発明はかかる現状に鑑み、把持が容易で、あご、ほほ、こめかみからうなじを効果的にマッサージすることができるフェイス用マッサージ具を提供することを目的としたものである。
【課題を解決するための手段】
【０００９】
前記の目的を達成するため、この発明の請求項１に記載の発明は、
硬質素材からなる板状の芯材の表面に、軟質素材を所定の厚みで被覆し一体化させて身体当接主体を構成し、
前記身体当接主体の周縁部および裏面部に、マッサージ部を形成したこと
を特徴とするフェイス用マッサージ具である。
【００１０】
また、この発明の請求項２に記載の発明は、
硬質素材からなる板状の芯材の表面に、軟質素材を所定の厚みで被覆し一体化させて身体当接主体とし、
前記身体当接主体の周縁部には、あご部およびほほ部に当接させるマッサージ部を個別に、裏面部には、こめかみ部からうなじ部を含む頭皮に当接させるマッサージ部をそれぞれ形成したこと
を特徴とするフェイス用マッサージ具である。
【００１１】
また、請求項３に記載の発明は、
請求項１または２に記載のフェイス用マッサージ具において、
前記芯材は、
縦方向の中心線を中心に、その両端部を背面方向に緩やかに湾曲させ、もって身体当接主体全体を平面視円弧状に形成したこと
を特徴とするものである。
【００１２】
また、請求項４に記載の発明は、
請求項１〜３のいずれかに記載のフェイス用マッサージ具において、
前記芯材は、
左右の側面部を縦方向の中心線に向かって緩やかに湾曲させ、もって身体当接主体全体を正面視鼓状に形成したこと
を特徴とするものである。
【００１３】
また、請求項５に記載の発明は、
請求項１〜４のいずれかに記載のフェイス用マッサージ具において、
前記身体当接主体は、
前記芯材の表面部は均一であるが、裏面部は上面側から下面側に向かって次第に肉厚となるよう軟質素材によって被覆されていること
を特徴とするものである。
【００１４】
また、請求項６に記載の発明は、
請求項１〜５のいずれかに記載のフェイス用マッサージ具において、
前記身体当接主体は、
その下端部に、芯材が存在せず、かつ上部よりも幅広な膨出部が形成されていること
を特徴とするものである。
【００１５】
また、請求項７に記載の発明は、
請求項１〜６のいずれかに記載のフェイス用マッサージ具において、
前記軟質素材は、
合成樹脂またはゴムのエラストマーからなる弾性素材であって、透明性を有し、無着色もしくは着色されたものであること
を特徴とするものである。
【００１６】
また、請求項８に記載の発明は、
請求項１〜７のいずれかに記載のフェイス用マッサージ具において、
前記芯材は、
硬質合成樹脂板または金属板からなるものであって、着色されたものであること
を特徴とするものである。
【００１７】
また、請求項９に記載の発明は、
請求項１〜８のいずれかに記載のフェイス用マッサージ具において、
前記芯材は、
所要の図柄や文字などが打ち抜き又は描出されていること
を特徴とするものである。
【００１８】
また、請求項１０に記載の発明は、
請求項１〜９のいずれかに記載のフェイス用マッサージ具において、
前記身体当接主体は、
その上部周縁の一部に、円弧状の突出部からなるあご用マッサージ部が一体的に形成されていること
を特徴とするものである。
【００１９】
また、請求項１１に記載の発明は、
請求項１〜１０のいずれかに記載のフェイス用マッサージ具において、
前記身体当接主体は、
その下端部に、芯材が存在せずかつ上部よりも幅広な膨出部を形成し、当該膨出部の裏面側にほほ部に密着可能な形状の傾斜面を形成してほほ用マッサージ部としたこと
を特徴とするものである。
【００２０】
また、請求項１２に記載の発明は、
請求項１〜１１のいずれかに記載のフェイス用マッサージ具において、
前記身体当接主体は、
裏面部に軟質素材からなる複数の突起を形成し、こめかみからうなじを含む頭皮用マッサージ部としたこと
を特徴とするものである。
【発明の効果】
【００２１】
この発明のフェイス用マッサージ具は、硬質素材からなる板状の芯材の表面に、軟質素材を所定の厚みで被覆し一体化させて身体当接主体としているので、フェイスにあたる部分、すなわち身体当接主体の側縁部は適度な柔らかさを有するが、インモールドされた芯材の存在によって適度な剛性を有しているので、適度な押圧力を与えながら皮膚をマッサージすることによって、所望の部位に適度な刺激を与えることができる。
【００２２】
特に、この発明のフェイス用マッサージ具においては、前記身体当接部材の表面は、軟質素材で被覆されているので、把持部が硬質素材で形成された従前のマッサージ具のように、使用に際して不要な力が入りすぎることがなく、適度な押圧力でマッサージを行なうことができる。
【００２３】
また、前記身体当接主体の表面部に、あご部、ほほ部、こめかみからうなじを含む頭皮をマッサージするための部位をそれぞれ一体的に形成するに際し、芯材との距離、換言すると、芯材にきわめて近い部位、あるいは芯材から比較的遠い部位、あるいは芯材に直接力が加わらないように、前記マッサージしようとする部位に適合する形状と構成を採用することによって、一つのマッサージ具に身体各部位に当接させるのに適した硬さを有する複数のマッサージ部を具備させることができる。
【００２４】
また、芯材を縦方向の中心線を中心に、その両端部を背面方向に緩やかに湾曲させ、もって身体当接主体全体を平面視円弧状に形成することによって、特に頭皮部のマッサージにも最適な形状とすることができる。
【００２５】
また、前記芯材を左右の側面部を縦方向の中心線に向かって緩やかに湾曲させ、もって身体当接主体全体を正面視鼓状に形成することによって、手で容易に把持することができるので、マッサージを的確に行なうことができる。
【００２６】
また、前記芯材に所要の図柄や文字などを打ち抜き又は描出するとともに、この芯材を被覆する軟質素材を透明性あるものとすること、より好ましくは芯材に着色されたものを使用するか、あるいは軟質素材を着色されたもの、とすることによって、マッサージ具自体にデザイン性を付与し、おしゃれな小物とすることができる。
【００２７】
また、前記身体当接主体の下端部に、芯材が存在せず、かつ上部よりも幅広な膨出部を形成するとともに、この膨出部の裏面側にほほ部に密着可能な形状の傾斜面を形成することによって、ほほ部の筋肉のリフトアップおよびストレッチとを効果的に行なうことができる。
【００２８】
また、前記身体当接主体の上部に、比較的半径の小さな円弧状の突出部を一体的に形成することによって、あご部の任意の箇所を的確に刺激し、同時にあご部の肉を動かすことができる。
【００２９】
さらに、前記身体当接主体を、芯材の表面部は均一であるが、裏面部は上面側から下面側に向かって次第に肉厚となるよう弾性素材で被覆し、当該部位に所要高さの突起を複数形成することによって、こめかみ部からうなじ部を含む頭皮を的確にマッサージすることができる。
【発明を実施するための最良の形態】
【００３０】
以下、この発明の実施形態にかかるフェイス用マッサージ具の一例を、添付の図面に基づいて具体的に説明するに、図１はこの発明の実施形態にかかるフェイス用マッサージ具の正面図、図２は同背面図、図３は図２におけるＡ−Ａ線に沿った断面図、図４は図２におけるＢ−Ｂ線に沿った断面図、図５はこの発明のフェイス用マッサージ具を構成する芯材の一例を示す正面図、図６は同側面図である。
【００３１】
この発明のフェイス用マッサージ具１は、図１および図２で明らかなように、硬質素材製の板状の芯材２と、この芯材２の表面部を被覆する軟質素材製の被覆体３とで構成された身体当接主体４からなるものであって、この身体当接主体４は、通常インサート成型によって得られるものである。
【００３２】
前記芯材２を構成する硬質素材とは、たとえば、ポリカーボネート、ＡＢＳ（アクリルニトリルブタジエンスチレン）、ポリスチレン、ポリアミドのような硬質合成樹脂、または金属であって、これら硬質素材で最大長さ７０ｍｍ前後、最大幅６０ｍｍ前後の板材を形成して芯材２とするものである。
【００３３】
この芯材２は、前記身体当接主体４を製造するに際し、金型内に固定した状態で保持する必要上、ピンの挿通孔２ａが複数配設されているもので、身体当接主体４として最終成型したとき、取扱性など観点から図３および図６に示すように、芯材２を下端部から上端部に向けて背面方向に緩やかな円弧を描くよう形成するとともに、図４に示すように、長手方向における中心線を中心に、その両側を背面方向に緩やかに湾曲させて平面視円弧状に形成している。
【００３４】
また、この芯材２の両側縁２ｂ，２ｂは、特に図５で明らかなように、縦方向の中心線Ｘに向かって上下端部から緩やかに湾曲させて正面視鼓状に形成し、最終製品である身体当接主体４の把持を容易にするとともに、上縁部の中央に半径の小さな円弧状の突出部２ｃを一体的に突出形成し、また下縁部２ｄは、前記中心線Ｘに向けて両端部から緩やかに湾曲させて円弧状に形成したものである。
【００３５】
さらに、この芯材２には、図５に示すように、その表面中央部に、花の図形２１が打ち抜き形成されるとともに、商品名２２がアルファベットで打ち抜き形成するに際し、当該芯材２として着色された平板を使用し、かつ前記被覆体３に使用する軟質素材を透明性のあるものとすることによって、得られる身体当接主体４を立体的に見せることができ、同時におしゃれな小物とすることができる。
【００３６】
かかる形状の芯材２は、図示しないピンを前記挿通孔２ａに差し込んで金型内に保持したのち、常法にしたがって金型内に被覆体３を形成する軟質素材、たとえば、スチレン系エラストマーやシリコンゴムなどを流し込んで、図１ないし図２に示されるような形状の身体当接主体４を一体成型するものである。
【００３７】
その際、芯材２の表面側および下縁部を除く周縁部には均一な厚さの皮膜が、また裏面側は上部から下部に到るにしたがって肉厚となり、さらに前記下縁部には上部よりも幅広で、かつ前記芯材２の下縁部よりも離れた部位に被覆体３の下縁部３ａが
形成されるように金型を形成し、得られる身体当接主体４の上縁部に突出部５を、下縁部に膨出部６を形成させたもので、この膨出部６の裏面は、特に図３で明らかなように、斜め上方に向かって傾斜面７が形成されている。
【００３８】
さらに、前記芯材２の裏面側には、複数の高さが同一な突起８，８・・・が同時に形成されるよう金型が形成されているので、インサート成型によって得られた身体当接主体４は、硬質素材からなる芯材２の表面がすべて軟質素材からなる被覆体３で覆われ、かつ上部には突出部５を、下部には裏面側に傾斜面７を有する膨出部６を、またその裏面の平面部には同一高さの複数の突起８，８・・・を有している。
【００３９】
このように軟質素材からなる被覆体３で、硬質素材からなる芯材２をインモールドして得られた身体当接主体４からなるフェイス用マッサージ具１の使用方法を説明すると、二重あごをスッキリさせるには、両側縁部に形成された円弧状部９，９に指を添えて身体当接主体４の突出部５が上方に位置する状態で保持しながら、当該突出部５であご下を刺激、すなわち、あご上の弛んだ肉をあご下に押し込めるように上から下へ、より具体的には、片方のあご先からエラにかけて動かしマッサージを複数回行なうものである。
【００４０】
その際、マッサージと同時に口を開けたり、閉じたりすることによって、より効果的に二重あごをスッキリさせることができる。
【００４１】
また、ぽっちゃりしたほほをスッキリさせるには、ほほ骨に身体当接主体４に形成された膨出部６の裏面の傾斜面７を確りと当接させ、優しくかつジンワリと押し上げることによって、より具体的には、鼻のわきから耳にかけて数箇所を１０秒程度押し上げることによって、ほほの筋肉がストレッチされ、スッキリとリフトアップさせることができる。
【００４２】
さらに、目元をスッキリさせ、小顔に仕上げるには、身体当接主体４の裏面に形成された複数の突起８，８・・・を使用して顔のサイドラインから頭皮まで流れるように、特にあごの下からこめかみまで前記膨出部６で引き上げ、こめかみからは前記突起８群の先端部を当接させながら、うなじまで流れるようにストレッチすることで達成させることができるものである。
【００４３】
特に、あご部へのマッサージに際しては、軟質の突出部５は芯材２との間の肉厚が薄く形成されているので、軽くマッサージするだけで目的を達成でき、ほほ部へのマッサージには、芯材２から離れた膨出部６の傾斜面表面でマッサージをするため、ある程度の押圧力を加えても、芯材２の影響が少ないため皮膚を傷めるおそれがない。
【００４４】
また、頭皮部へのマッサージは、身体当接主体４の裏面に突出形成された突起８群を使用して行なうものであるが、この突起８は肉厚の薄い部分から厚い部分に高さを同一にして配置されているので、肉厚の薄い部分は芯材２の影響を多少受けて適度な硬さに、厚い部分は芯材２の影響をほとんど受けずに突起８自体の剛性で皮膚を刺激することができるものである。
【図面の簡単な説明】
【００４５】
【図１】この発明の実施形態にかかるフェイス用マッサージ具の正面図である。
【図２】同背面図である。
【図３】図２におけるＡ−Ａ線に沿った断面図である。
【図４】図２におけるＢ−Ｂ線に沿った断面図である。
【図５】この発明のフェイス用マッサージ具を構成する芯材の一例を示す正面図である。
【図６】同側面図である。
【符号の説明】
【００４６】
１        フェイス用マッサージ具
２        芯材
３        被覆体
４        身体当接主体
５        突出部
６        膨出部
７        膨出部裏面の傾斜面
８        突起
９        身体当接主体の側縁部
【図１】
2005192905.tif 000003
【図２】
2005192905.tif 000004
【図３】
2005192905.tif 000005
【図４】
2005192905.tif 000006
【図５】
2005192905.tif 000007
【図６】
2005192905.tif 000008